(57)【要約】      （修正有）【課題】保持力が高く、また壁面に与える損傷が少ない、壁面などに螺入して使用する構造の簡易な固定取付具を提供する。【解決手段】押え頭部１２の底面から螺旋状の針部１１を延出させて成り、螺旋状の針部１１を壁面などに螺入埋設して使用する。押え頭部１２と前記螺旋状の針部とが剛性のある一本の線材で形成され、前記押え頭部１２が螺旋の軸径よりも大きくなっている固定取付具１。前記押え頭部１２を着脱可能に螺入させる螺入部を有した回転操作具を更に備えた固定取付具。【選択図】図１
2009264435.tif 000002
【特許請求の範囲】
【請求項１】
押え頭部の底面から螺旋状の針部を延出させて成り、螺旋状の針部を壁面などに螺入埋設して使用するようにした固定取付具。
【請求項２】
請求項１において、
前記押え頭部と前記螺旋状の針部とが剛性のある１本の線材で形成され、前記押え頭部が螺旋の軸径よりも大きくなっている固定取付具。
【請求項３】
請求項１または２において、
前記押え頭部を着脱可能に嵌入させる嵌入部を有した回転操作具を更に備えた固定取付具。
【発明の詳細な説明】
【技術分野】
【０００１】
本発明は、対象物を壁面等に取り付けるのに用いられる取付具に関する。
【背景技術】
【０００２】
従来、警報器等の対象物を壁面に取り付けるには、取付具として、釘、木ネジ等が用いられていた。すなわち、それらの取付具を対象物の取付穴に挿通させてから、壁面等に打ち込む、あるいは螺入させることで、対象物を壁面に固定していた。
【０００３】
また次の特許文献１には、 係止部材に取付ネジを保持して被取付部に部品を取り付ける構成の部品取付装置において、ネジ部および頭部を有し、ネジ部の周囲を先端側に向けて傾斜面とし、かつ頭部側に向けて垂直な係止面とした鋸歯状のネジ山を螺旋状に形成した取付ネジを用いるものが記載されている。
【特許文献１】特願平１０−１１５３１１号公報
【発明の開示】
【発明が解決しようとする課題】
【０００４】
しかしながら、釘は金槌等で壁面に簡単に打ち込めるものの、壁面の材質によっては抜け易い。これに対して木ネジは簡単には抜けないが、壁面に与える損傷が大きく、また抜いた場合には跡が目立ってしまう。
【０００５】
また、特許文献１の取付ネジは、板金等で形成された係止部材に被取付部を固定するためのもので、壁面に対して螺入するには適していない。
【０００６】
そこで、本発明は、壁面に螺入して使用したときに保持力が高く、また壁面に与える損傷が少ない固定取付具を提供することを課題とする。
【課題を解決するための手段】
【０００７】
その課題を解決するため、本発明による固定取付具は、押え頭部の底面から先端が鋭利な螺旋状の針部を延出させて成り、この針部を壁面などに螺入埋設して使用するようにしている。
【０００８】
押え頭部および針部は、剛性のある１本の線材で構成してもよいが、抑え頭部は金属板で形成し、そこに針部を溶接してもよい。なお、押え頭部の径は、対象物を押圧できるように針部の螺旋軸径よりも大きくしておく。また、抑え頭部には、針部を壁面に螺入させるための回転操作具を着脱可能にしてもよい。そのため、回転操作具には、回転操作するための操作部と、抑え頭部が嵌入できる嵌入部とを設けておく。嵌入部は、押え頭部の全体を嵌入れ、螺旋状の針部を螺入して壁面に埋設する際にブレがないように保持する。なお、操作部は、指でつまんで回動操作する際に滑らないように、外周面をローレット加工しておくことが望ましい。
【発明の効果】
【０００９】
本発明による固定取付具は、螺旋状の針部を壁面に螺入埋設させるようにしているので、壁面には開口が小さな螺旋状の穴が開くだけである。従って、壁面を余り損傷させず、固定取付具を取り外したときにも、穴跡が目立たない。また、螺旋状の針部は、回転させなければ壁面から抜けないので、釘等に比べて保持力が高い。
【００１０】
押え頭部と螺旋状の針部とを１本の線材で構成すれば、簡単に製造できるため、安価に提供できる。また、抑え頭部には、針部を壁面に螺入させるための回転操作具を着脱可能にした場合には、複数の固定取付具を使用する場合でも、回動操作具は共用できるため、コストを抑えることができる。
【発明を実施するための最良の形態】
【００１１】
以下、本発明による固定取付具を図に従って説明する。
ここに、図１（ａ）、図１（ｂ）は、本発明による固定取付具をそれぞれ斜め上方、下方から見た外観図で、図２（ａ）、図２（ｂ）は、その固定取付具によって警報器を壁面に固定する過程をそれぞれ示した手順図、図３は壁面に固定された警報器の縦方向の切断図である。
【００１２】
図１（ａ）、図１（ｂ）に示した固定取付具１は、先端が鋭利な螺旋状の針部１１と、針部１１の螺旋軸径よりも大きな径を有した抑え頭部１２とで構成されている。これは、押え頭部１２によって、対象物を押圧するためである。
【００１３】
針部１１は、例えばピアノ線等、剛性を有した１本の線材からなり、円盤状の抑え頭部１２の底面から延出されている。抑え頭部１２は、樹脂製であり、その外周面は把持できるようにローレット加工され、上面はドライバあるいはコイン等の治具を差し込むための十字溝が形成されている。なお、押え頭部１２は、針部１１に連続した線材で構成してもよいが、抑え頭部１２は金属板で形成し、そこに針部１１を溶接してもよい。
【００１４】
この固定取付具１は、対象物の取付孔２１を通過させた針部を壁面に３螺入埋設することで、対象物を壁面３に固定するが、以下の説明では、警報器２を壁面３に固定する例について説明する。
【００１５】
図２（ａ）、図２（ｂ）の警報器２は、取付孔２１を形成したベース部２２と、このベース部２２に組み付けられる本体部２１とで構成されているが、特に、図２（ａ）では、ベース部２２を壁面３に押し当てて、固定取付具１の針部１１を取付孔２１に通過させる過程を示している。固定取付具１の針部１１を矢印に従って取付孔２１を通過させて、その先端を壁面３に軽く刺して位置決めし、更に、抑え頭部１２の十字溝にドライバ等を差し込んで回転させることで、まで針部１１を壁面に螺入させることができる。このとき、抑え頭部１２は、ベース部２２に当接して、ベース部が壁面３に固定される。なお、壁面３が例えば石膏ボード等の軟らかい素材であれば、ドライバ等を用いず、手指によって抑え頭部１２を把持し回転させることも可能である。
【００１６】
図２（ｂ）は、ベース部２２に本体部２１を組み付ける過程を示している。ベース部２２には外周に沿った爪部が形成されているので、所定の角度で本体部２１をベース部２２に押し当ててから回転させることで、本体部２１はベース部２２に係止される。
【００１７】
図３は、壁面３に固定された警報器をベース部２２の取付孔２１の位置で切断した断面図である。固定取付具１は、図のように螺旋状の穴を開けて壁面３の内部に侵入している。なお、警報器の切断面からは、煙を検知する感知部、回路部、警報を出力するスピーカ、電源となる電池等が見えている。
【００１８】
このように、本発明による固定取付具１は、螺旋状の針部１１を壁面３に螺入埋設させるようにしているので、壁面３には開口が小さな螺旋状の穴が開くだけである。従って、壁面３３を余り損傷させず、固定取付具１を取り外したときにも、穴跡が目立たない。また、螺旋状の針部１１は、回転させなければ壁面３から抜けないので、釘等に比べて保持力が高い。
【００１９】
次いで本発明による他の固定取付具を図に従って説明する。ここに、図４（ａ）、図４（ｂ）は、本発明による他の固定取付具をそれぞれ斜め上方、下方から見た外観図で、図５（ａ）、図５（ｂ）は、この固定取付具によって警報器を壁面に固定する過程をそれぞれ示した手順図である。
【００２０】
図４（ａ）、図４（ｂ）に示した固定取付具１は、押え頭部１２と螺旋状の針部１１とが剛性のある１本の線材で構成され、押え頭部１２は螺旋状の軸径よりも大きくなっている。この固定取付具１には、螺旋状の針部を螺入埋設させるための回転操作具１５を自在に着脱できる。回転操作具１５は円盤状の操作部１７を有し、その外周面は把持できるように滑り止め加工されている。また、固定取付具１を装着する下面には、押え頭部１２を着脱可能に嵌入させる嵌入部１６が形成され、上面には、ドライバやコイン等の治具を差し込むための十字溝が形成されている。嵌入部１６は、押え頭部１２の全体を嵌入れ、螺旋状の針部１１を螺入して壁面３に埋設する際にブレがないように保持する。なお、操作部１７は、指でつまんで回動操作する際に、滑らないように、外周面がローレット加工されている。
【００２１】
この固定取付具１も、対象物の取付孔２１を通過させた針部１１を壁面３に螺入埋設することで、対象物を壁面３に固定するが、対象物を壁面３に固定した後、固定取付具１から回転操作具１５を取り外すことができる。
【００２２】
具体的には、図５（ａ）に示した警報器のベース部２２を壁面３に固定する過程では、回転操作具１５の操作部１７を回転させることで、針部１１を壁面３に螺入させることができる。
【００２３】
また、図５（ｂ）には壁面３に固定された後のベース部２２を示しているが、ここでは抑え頭部１２がベース部２２に当接しており、この状態で回転操作具１５を抜き取るようにする。
【００２４】
このような固定取付具１は、抑え頭部に回転操作具１５を自在に着脱できることが特徴であるが、これにより、複数の固定取付具１が必要な場合でも、回転操作具１５は１つで済むので、製造コストが抑えられる。また、固定取付具１によって対象物を固定した後、その固定取付具１の回転操作具１５を外すことにより、対象物からの固定取付具１の突出が少なくなるので、その分、対象物に占めるスペースが節約できる。
【図面の簡単な説明】
【００２５】
【図１】（ａ）、（ｂ）は、本発明による固定取付具をそれぞれ斜め上方、下方から見た外観図である。
【図２】（ａ）、（ｂ）は、本発明による固定取付具によって警報器を壁面に固定する過程をそれぞれ示した手順図である。
【図３】壁面に固定された警報器の縦方向の切断図である。
【図４】（ａ）、（ｂ）はそれぞれ、本発明による他の固定取付具を、回転操作具が取り付けられた状態にして斜め下方から見た外観図、（ｂ）は、回転操作具が取り外した状態にして斜め下方から見た外観図である。
【図５】（ａ）、（ｂ）は、本発明による他の固定取付具によって警報器のベース部を壁面に固定する過程をそれぞれ示した手順図である。
【符号の説明】
【００２６】
１    固定取付具
１１  針部
１２  抑え頭部
１５  回転操作具
１６  嵌入部
１７  操作部
２    警報器（対象物）
３    壁面
【図１】
2009264435.tif 000003
【図２】
2009264435.tif 000004
【図３】
2009264435.tif 000005
【図４】
2009264435.tif 000006
【図５】
2009264435.tif 000007